(57)【要約】      （修正有）【課題】テーブルに覆い被せるだけで誰でも簡単に設置することができ、使い勝手が良く、デザイン性の優れたテーブルカバーを提供することである。【解決手段】長方形状テーブルを覆うことができるテーブルカバーにおいて、底面部と背面部が開口されて、正面布部ＦＣ、平面布部ＰＣ、右側面布部、左側面布部ＬＣの４面のテーブルカバー布部から構成され、箱状形状をしてなり、かつ、長方形状テーブルを覆うことができるように構成されてなり、テーブルカバー布部がテント地から構成されていることを特徴とする。【選択図】図１
0003199583.tif 000002
【実用新案登録請求の範囲】
【請求項１】
長さａ×横ｂ×高さｈの長方形状テーブルを覆うことができるテーブルカバーにおいて、底面部と背面部が開口されて、正面布部、平面布部、右側面布部、左側面布部の４面のテーブルカバー布部から構成された長さＡ×横Ｂ×高さＨの箱状形状をしてなり、かつ、長方形状テーブルを覆うことができるように（１）〜（３）式を具備するように構成されてなり、テーブルカバー布部がテント地から構成されていることを特徴とするテーブルカバー。
Ａ≧ａ…（１）式
Ｂ≧ｂ…（２）式
Ｈ≦ｈ…（３）式
【請求項２】
上記テーブルカバーが、使用前又は収納時には、折り畳んだ状態になっていること、及び／又は、さらに折り畳んだ状態になっているテーブルカバーを巻物状態にしていることを特徴とする請求項１に記載されたテーブルカバー。
【請求項３】
上記正面布部、平面布部、右側面布部、左側面布部の表面に、文字又は図形からなるシートを張り付けてなることを特徴とする請求項１〜２の何れかに記載されたテーブルカバー。
【請求項４】
上記テーブルカバーが、正面布部、平面布部、右側面布部、左側面布部の４面のテーブルカバー布部に加えて、歯止め布部から構成されてなり、急病人を運ぶ担架として使用するときに用いるため、夏季に風を通すために用いるため、歯止め布部に、運搬用把持穴を設け、急病人を運ぶ担架として使用しない場合、冬季のように運搬用把持穴から風を通す必要が無い場合には、運搬用把持穴を覆う運搬用把持穴カバーを運搬用把持穴の下側のテーブルカバー布部に設けてなることを特徴とする請求項１〜３の何れかに記載されたテーブルカバー。
【請求項５】
上記歯止め布部に、幟を立て固定するための固定用ポケットを有することを特徴とする請求項１〜４の何れかに記載されたテーブルカバー。
【請求項６】
上記正面布部、右側面布部、左側面布部面の下端周辺部に、テーブルカバーの固定用の紐を通すために用いられる紐穴を有することを特徴とする請求項１〜５の何れかに記載されたテーブルカバー。
【考案の詳細な説明】
【技術分野】
【０００１】
本考案は、テーブルカバーに関する。
【背景技術】
【０００２】
テーブルは、イベントの受付、会議、飲食等の種々の用途に広く使われている。一般的なテーブルは、長方形状のテーブルであり、長さａ×横ｂ×高さｈが、１８００ｍｍ×４５０ｍｍ×７００ｍｍ、又は、１８００ｍｍ×４５０ｍｍ×７００ｍｍと標準化されており、かつ、脚が折り畳みできる構造で、脚を折り畳んで積み重ねることで保管スペースが少なくて済むというメリットがある。
上記のようなイベントの受付、会議、飲食等の種々の用途において使用される場合、テーブルに布製のテーブルカバーを掛ける場合が多い。
布製のテーブルカバーを掛ける作業は、誰でも簡単にできるというものではなく、かなり熟練と手間がかかる。
布製のテーブルカバーは種類が限られているので、無地の白色が殆どでデザイン性の優れたテーブルカバーではない。
テーブルカバーが布製であることから、テーブルカバー上に煙草の火又は灰を落としたり、コップに入った飲み物を溢した場合、汚れて見苦しくなるので取り替える必要があるが、テーブルカバーを取り替える作業は、手間が掛かり煩わしい。
テーブルカバーを屋外のイベントに使用した場合、雨が降ってきた場合、雨がすぐ止んだとしても、布製のテーブルカバーはすぐには乾かないので、使い物にならず、取り替える必要があるが、テーブルカバーを取り替える作業は、手間がかかり煩わしい。
【０００３】
考案者は、かかる従来技術の欠点を種々観察することによって、本考案が解決しようとする課題の発見に努め、そして、発見した本考案が解決しようとする課題を達成するべく鋭意研究した結果、本考案を想到するに至った。
【先行技術文献】
【特許文献】
【０００４】
本願考案に係るテーブルカバーについて、ＦＩ、キーワード検索を行ったところ、本件考案（箱状形状をしたテーブルカバー）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、テーブルに覆い被せるだけで誰でも簡単に設置することができ、使い勝手が良く、デザイン性の優れたテーブルカバーを提供することである。
○本考案が解決しようとする第２課題
本考案が解決しようとする第２課題は、テーブルカバーとして使用できる他に、急病人を運ぶタンカ、テントとしても使用できるテーブルカバーを提供することである。
○本考案が解決しようとする第３課題
本考案が解決しようとする第３課題は、テーブルカバーを使用中に、煙草の灰を落としたり、コップに入った飲み物を溢したりしてもサッと一拭きで汚れを取ることができるテーブルカバーを提供することである。
○本考案が解決しようとする第４課題
本考案が解決しようとする第４課題は、屋外においてテーブルカバーを使用中に、雨が降っても、雨が止んだら、すぐ乾いて、そのまま使用することができるテーブルカバーを提供することである。
○本考案が解決しようとする第５課題
本考案が解決しようとする第５課題は、テーブルカバー表面に、文字図形等を付すことができ、また使用後は簡単に剥がすことができるテーブルカバーを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○長方形状テーブル（ＲＴ）とは、イベントの受付、会議、飲食等の種々の用途に広く使われている長さａ×横ｂ×高さｈの長方形状の平面版に４つの足がついたものをいう。
長さａ×横ｂ×高さｈは、一般的には、１８００ｍｍ×４５０ｍｍ×７００ｍｍ、又は、１８００ｍｍ×４５０ｍｍ×７００ｍｍと標準化されている。
上記長方形状テーブル（ＲＴ）は、脚が折り畳みできる構造を有する物が一般的であり、脚を折り畳んで積み重ねることで保管スペースが少なくて済むというメリットを有する。
○テント地とは、テント用の布地をいう。テント用の布地は、強度が強く難燃性で、紫外線をカットするＵＶカット加工、吸水防止加工（生地の継ぎ目から、雨などの水が浸み込んでゆかないように品質を長く保つ加工）等が施されている。
テント地を使ったテーブルカバーにおいては、
例え、コップの水を溢したとしても、テーブルカバーが吸水防止加工を施されたテント地製であることから、ティッシュでサッと簡単に拭き取ることができるので、テーブルカバーを取り替える作業の必要はない。
また、煙草の火又は灰を落としたりしたとしても、テーブルカバーが難燃性のテント地製であることから、焼けて穴があいたりしないので、テーブルカバーを取り替える作業の必要はない。
さらに、テーブルカバーを屋外のイベントに使用した場合、雨が降ってきた場合、雨がすぐ止んだとしても、布製のテーブルカバーはすぐには乾かないが、本願考案に係るテーブルカバーは、テーブルカバーが吸水防止加工を施されたテント地製であることから、すぐ乾くので、テーブルカバーを取り替える作業の必要はない。
○正面布部（ＦＣ）とは、テーブルカバー（１００）を構成する正面布部、平面布部、右側面布部、左側面布部の４面の布部の１面の布部をいう。
○平面布部（ＰＣ）とは、テーブルカバー（１００）を構成する正面布部、平面布部、右側面布部、左側面布部の４面の布部の１面の布部をいう。
○右側面布部（ＲＣ）とは、テーブルカバー（１００）を構成する正面布部、平面布部、右側面布部、左側面布部の４面の布部の１面の布部をいう。
○左側面布部（ＬＣ）とは、テーブルカバー（１００）を構成する正面布部、平面布部、右側面布部、左側面布部の４面の布部の１面の布部をいう。
○箱状形状とは、底面部と背面部が開口されて、正面布部、平面布部、右側面布部、左側面布部の４面で構成された形状をいう。
箱は、一般的には、６面から構成されるが、本発明においては、底面部と背面部が開口されて、正面布部、平面布部、右側面布部、左側面布部の４面で構成されることが特徴となっている。
本考案の対象とする長方形テーブルは、イベントの受付テーブル、会議用テーブルでは、背面布部は、人が座るため必要がなく、また、飲食用（バイキング用）テーブルでは、テーブルを壁側に置くために、背面布部は必要ないことに考案者は初めて気が付いたことにより、本発明を相当するに至った。
○巻物状態とは、巻いて円筒状にした状態をいう。
○シート（Ｓｔ）とは、薄くて広いものを（Ｌ字型に折り曲げたものも含む。）いい、素材はプラスチック、布、紙等さまざまである。本考案に係るシートは文字又は図形からなるが、シートの上に字又は図形等が描かれる場合の他、文字又は図形の輪郭をした形状に切取った場合を含む。正面布部、平面布部、右側面布部、左側面布部が、文字又は図形からなるシートを両面テープ等で張り付けられてなる。
○運搬用把持穴（ｔｈ）とは、急病人を運ぶ担架としてテーブルカバーを使用する際に、急病人を持ち上げて、あるいは、引き摺って運搬する場合に、テーブルカバー前後から２人が両手で急病人運搬用に設けられた穴である。
、急病人を運ぶ担架としてテーブルカバーを使用する際以外は、両面テープ付きの運搬用把持穴カバー（ｔｃ）より当該穴は覆われている。
そして、運搬用把持穴（ｔｈ）は、上記のように、急病人運搬用に設けられた穴以外の用途のほかに、例えば、夏季には、風通しをよくすることによって脚部を涼しくして、快適に接客できるようすべく、運搬用把持穴カバー（ｔｃ）を外して風を通す穴として使用することも可能である。
当然のことながら、例えば、冬季には、風通しをよくすることによって脚部を涼しくして、快適に接客できるようにする必要がないので、両面テープ付きの運搬用把持穴カバー（ｔｃ）により当該穴は覆われている。
○運搬用把持穴カバー（ｔｃ）とは、運搬用把持穴（ｔｈ）を覆うためのカバーをいう。
○固定用ポケット（ｆｐ）とは、幟を立て固定するために、歯止め布部に、幟を立て固定するための固定用ポケットを有することに設置されている垂直方向に細長い筒状のポケットである。
固定用ポケット（ｆｐ）は使用する場合は、幟のポールを挿入するために筒状となるが、固定用ポケット（ｆｐ）は使用しない場合は、平面状である。
○紐穴（ｒｈ）とは、風の強い場合、テーブルカバーが吹き飛ばされないように、テーブルカバーの固定用の紐を通すために用いられる穴をいう。
○歯止め布部（ＨＴ）とは、コの字形状をした布部であり（図９を参照）、歯止め布部（ＨＴ）の辺１２とを正面布部（ＦＣ）の辺１２を接合して、歯止め布部（ＨＴ）と正面布部（ＦＣ）を一体にして使用する（図１０を参照）。
○両面テープ（ｒｔ）とは、運搬用把持穴（ｔｈ）を運搬用把持穴カバー（ｔｃ）で覆うために、運搬用把持穴カバーを運搬用把持穴の下側のテーブルカバー布部に設けた運搬用把持穴カバー（ｔｃ）を簡易に接着するために、運搬用把持穴カバーの内側上部と運搬用把持穴の上部のテーブルカバー布部に取付けられた雌雄一対からなる接着具である。
＜符号の説明＞
○長さＡ×横Ｂ×高さＨは、箱状形状をしてなるテーブルカバー（１００）の寸法を表す。
○長さＡは、辺１２、辺３４の長さを表す。
○横Ｂは、辺１３、辺２４の長さを表す。
○高さＨは、辺１１’、辺２２’、辺３３’、辺４４’の長さを表す。
○箱状形状をしてなるテーブルカバー（１００）の寸法を表す。
○１、２、３，４は、平面布部（ＰＣ）の角を表し、１’、２’、３’，４’は、それぞれ１、２、３、４の高さＨ真下の正面布部、右側面布部、左側面布部の布部の角を表す（）。
○辺１２、辺２３、辺３４、辺４１、辺１’２’、辺２’３’、辺３’４’、辺４’１’、  辺１１’、  辺２２’、  辺３３’、  辺４４’、は、角１と角２、角２と角３、角３と角４、角４と角１、角１’と角２’、角２’と角３’、角３’と角４’、角４’と角１’、角１と角１’、角２と角２’、角３と角３’、角４と角４’を結ぶ線（正面布部、右側面布部、左側面布部の布部の辺）を表す（図４、図５）。
○Ｐは、辺３’４’にある点であって、かつ、長さ３’Ｐ＝高さＨを満足する点である。したがって、折り線３’Ｐは、辺１２、辺３４、辺３’４’とは、交角４５°で交わる。
○Ｑは、辺３’４’にある点であって、かつ、長さ４’Ｐ＝高さＨを満足する点である。したがって、折り線４’Ｐは、辺１２、辺３４、辺３’４’とは、交角４５°で交わる。
＜テーブルカバーの作成方法＞
八角形１’２’４’４４’３’３３’のＬＣの３’３とＦＣの３３’、及び、ＲＣの４’４とＦＣの４４’を重ねて、縫い合わせることによって、長さａ×横ｂ×高さｈの長方形状テーブルを覆うことができるテーブルカバーにおいて、底面部と背面部が開口されて、正面布部、平面布部、右側面布部、左側面布部の４面のテーブルカバー布部から構成された長さＡ×横Ｂ×高さＨの箱状形状をしてなり、かつ、長方形状テーブルを覆うことができるように（１）〜（３）式を具備するように構成されてなり、テーブルカバー布部がテント地から構成されていることを特徴とするテーブルカバーを作成する。
＜テーブルカバーの折り畳み方法＞
○ステップ１
テーブルカバー（１００）をひっくり返して、辺１１’を辺１２に重なるようにし、辺３３’の折り線を伸ばして平らにすると共に、辺４Ｑを折ると共に、辺１１’を辺１２に重なるようにし、辺４４’の折り線を伸ばして平らにしつつ、辺４Ｑを折って、六角形１３ＰＱ４２を形成する。
○ステップ２
六角形１３ＰＱ４２の線３４を手前に折り曲げて、八角形１３４２ＱＱ’ＰＰ’を形成する。
○ステップ３
八角形１３４２ＱＱ’ＰＰ’の線Ｐ’Ｑ’を手前に折り曲げて、四角形１３４２を形成する。
○ステップ３
四角形１３４２を巻いて巻物状態にし、紐で縛る。
○ステップ４
巻物状態にし、紐で縛ったテーブルカバーを袋に入れる。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、長さａ×横ｂ×高さｈの長方形状テーブルを覆うことができるテーブルカバーにおいて、底面部と背面部が開口されて、正面布部、平面布部、右側面布部、左側面布部の４面のテーブルカバー布部から構成された長さＡ×横Ｂ×高さＨの箱状形状をしてなり、かつ、長方形状テーブルを覆うことができるように（１）〜（３）式を具備するように構成されてなり、テーブルカバー布部がテント地から構成されていることを特徴とするテーブルカバーである。
Ａ≧ａ…（１）式
Ｂ≧ｂ…（２）式
Ｈ≦ｈ…（３）式
○第２の考案（請求項２に記載の考案）
上記の課題を解決するための第２の考案（請求項２に記載の考案）は、上記テーブルカバーが、使用前又は収納時には、折り畳んだ状態になっていること、及び／又は、さらに折り畳んだ状態になっているテーブルカバーを巻物状態にしていることを特徴とする請求項１に記載されたテーブルカバーである。
○第３の考案（請求項３に記載の考案）
上記の課題を解決するための第３の考案（請求項３に記載の考案）は、上記正面布部、平面布部、右側面布部、左側面布部の表面に、文字又は図形からなるシートを張り付けてなることを特徴とする請求項１〜２の何れかに記載されたテーブルカバーである。
○第４の考案（請求項４に記載の考案）
上記の課題を解決するための第４の考案（請求項４に記載の考案）は、上記テーブルカバーが、正面布部、平面布部、右側面布部、左側面布部の４面のテーブルカバー布部に加えて、歯止め布部から構成されてなり、急病人を運ぶ担架として使用するときに用いるため、夏季に風を通すために用いるため、歯止め布部に、運搬用把持穴を設け、急病人を運ぶ担架として使用しない場合、冬季のように運搬用把持穴から風を通す必要が無い場合には、運搬用把持穴を覆う運搬用把持穴カバーを運搬用把持穴の下側のテーブルカバー布部に設けてなることを特徴とする請求項１〜３の何れかに記載されたテーブルカバーである。
○第５の考案（請求項５に記載の考案）
上記の課題を解決するための第５の考案（請求項５に記載の考案）は、上記歯止め布部に、幟を立て固定するための固定用ポケットを有することを特徴とする請求項１〜４の何れかに記載されたテーブルカバーである。
○第６の考案（請求項６に記載の考案）
上記の課題を解決するための第６の考案（請求項６に記載の考案）は、上記正面布部、右側面布部、左側面布部面の下端周辺部に、テーブルカバーの固定用の紐を通すために用いられる紐穴を有することを特徴とする請求項１〜５の何れかに記載されたテーブルカバーである。
【考案の効果】
【０００７】
本考案に係る、テーブルカバーは、上記のような特徴的構成要件から構成され、特徴的構成要件に応じた、以下のような本願考案特有の効果を奏する。
また、上記の各考案に応じた、上記のような特徴的構成要件から構成されたテーブルカバーによれば、本願考案の課題を十分解消することができた。
○第１の考案の効果
第１の考案によれば、長さａ×横ｂ×高さｈの長方形状テーブルを覆うことができるテーブルカバーにおいて、底面部と背面部が開口されて、正面布部、平面布部、右側面布部、左側面布部の４面のテーブルカバー布部から構成された長さＡ×横Ｂ×高さＨの箱状形状をしてなり、かつ、長方形状テーブルを覆うことができるように（１）〜（３）式を具備するように構成されてなり、テーブルカバー布部がテント地から構成されていることという特徴的な構成要件により、本考案が解決しようとする第１課題〜第５課題を達成することができ、当業者予測不可能な顕著な効果を奏することができた。
○第２の考案の効果
第２の考案によれば、上記テーブルカバーが、使用前又は収納時には、折り畳んだ状態になっていること、及び／又は、さらに折り畳んだ状態になっているテーブルカバーを巻物状態にしていることという特徴的な構成要件により、本考案が解決しようとする第１課題〜第５課題を達成することができ、当業者予測不可能な顕著な効果を奏することができた。
○第３の考案の効果
第３の考案によれば、上記正面布部、平面布部、右側面布部、左側面布部の表面に、文字又は図形からなるシートを張り付けてなることという特徴的な構成要件により、本考案が解決しようとする第１課題〜第５課題を達成することができ、当業者予測不可能な顕著な効果を奏することができた。
○第４の考案の効果
第４の考案によれば、上記テーブルカバーが、正面布部、平面布部、右側面布部、左側面布部の４面のテーブルカバー布部に加えて、歯止め布部から構成されてなり、急病人を運ぶ担架として使用するときに用いるため、夏季に風を通すために用いるため、歯止め布部に、運搬用把持穴を設け、急病人を運ぶ担架として使用しない場合、冬季のように運搬用把持穴から風を通す必要が無い場合には、運搬用把持穴を覆う運搬用把持穴カバーを運搬用把持穴の下側のテーブルカバー布部に設けてなることという特徴的な構成要件により、本考案が解決しようとする第１課題〜第５課題を達成することができ、当業者予測不可能な顕著な効果を奏することができた。
○第５の考案の効果
第５の考案によれば、上記歯止め布部に、幟を立て固定するための固定用ポケットを有することという特徴的な構成要件により、本考案が解決しようとする第１課題〜第５課題を達成することができ、当業者予測不可能な顕著な効果を奏することができた。
○第６の考案の効果
第６の考案によれば、上記正面布部、右側面布部、左側面布部面の下端周辺部に、テーブルカバーの固定用の紐を通すために用いられる紐穴を有することという特徴的な構成要件により、本考案が解決しようとする第１課題〜第５課題を達成することができ、当業者予測不可能な顕著な効果を奏することができた。
【考案を実施するための最良の形態】
【０００８】
以下、本考案に係る、テーブルカバーに関する最良の実施形態について、図面を参照しながら説明する。
図１は、本考案に係る、テーブルカバーの正面左上からの斜視図である。
図２は、本考案に係る、テーブルカバーの正面左上からの斜視図である。
図３は、本考案に係る、テーブルカバーの正面左上からの斜視図である。
図４は、本考案に係る、テーブルカバーの作成方法を示す図面である。
図５（ａ）は、本考案に係る、テーブルカバーの正面左上からの斜視図である。図５（ｂ）は、本考案に係る、テーブルカバー（図５（ａ）のテーブルカバーを１８０°ひっくり返したもの）の正面左上からの斜視図である。
図６は、テーブルカバーの折り畳み方法を示す図面である。
図７は、テーブルカバーの折り畳み方法を示す図面である。
図８（ａ）は、テーブルカバーの折り畳み方法を示す図面である。図８（ｂ）は、折り畳んだ状態になった後、さらに巻物状態にしたテーブルカバーを示す図面である。
図９は、本考案に係る、歯留め布部を付けたテーブルカバーの作成方法を示す図面である。
図１０は、本考案に係る、歯留め布部を付けたテーブルカバーの背面左上からの斜視図である。
図１１は、本考案に係る、テーブルカバーの正面左上からの拡大斜視図である。
以下、本考案に係る、テーブルカバーについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のテーブルカバーにおいて、長さａ×横ｂ×高さｈの長方形状テーブルを覆うことができるテーブルカバーにおいて、底面部と背面部が開口されて、正面布部、平面布部、右側面布部、左側面布部の４面のテーブルカバー布部から構成された長さＡ×横Ｂ×高さＨの箱状形状をしてなり、かつ、長方形状テーブルを覆うことができるように（１）〜（３）式を具備するように構成されてなり、テーブルカバー布部がテント地から構成されていることを特徴とするテーブルカバーが開示されている。
第１の考案によれば長さａ×横ｂ×高さｈの長方形状テーブルを覆うことができるテーブルカバーにおいて、底面部と背面部が開口されて、正面布部、平面布部、右側面布部、左側面布部の４面のテーブルカバー布部から構成された長さＡ×横Ｂ×高さＨの箱状形状をしてなり、かつ、長方形状テーブルを覆うことができるように（１）〜（３）式を具備するように構成されてなり、テーブルカバー布部がテント地から構成されていることという特徴的な構成要件により、本考案が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のテーブルカバーにおいて、上記テーブルカバーが、使用前又は収納時には、折り畳んだ状態になっていることを特徴とする請求項１に記載されたテーブルカバーが開示されている。
第２の考案によれば上記テーブルカバーが、使用前又は収納時には、折り畳んだ状態になっていること、及び／又は、さらに折り畳んだ状態になっているテーブルカバーを巻物状態にしていることという特徴的な構成要件により、本考案が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のテーブルカバーにおいて、上記正面布部、平面布部、右側面布部、左側面布部の表面に、文字又は図形からなるシートを張り付けてなることを特徴とする請求項１〜２の何れかに記載されたテーブルカバーが開示されている。
第３の考案によれば上記正面布部、平面布部、右側面布部、左側面布部の表面に、文字又は図形からなるシートを張り付けてなることという特徴的な構成要件により、本考案が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のテーブルカバーにおいて、上記テーブルカバーが、正面布部、平面布部、右側面布部、左側面布部の４面のテーブルカバー布部に加えて、歯止め布部から構成されてなり、急病人を運ぶ担架として使用するときに用いるため、夏季に風を通すために用いるため、歯止め布部に、運搬用把持穴を設け、急病人を運ぶ担架として使用しない場合、冬季のように運搬用把持穴から風を通す必要が無い場合には、運搬用把持穴を覆う運搬用把持穴カバーを運搬用把持穴の下側のテーブルカバー布部に設けてなることを特徴とする請求項１〜３の何れかに記載されたテーブルカバーが開示されている。
第４の考案によれば上記テーブルカバーが、正面布部、平面布部、右側面布部、左側面布部の４面のテーブルカバー布部に加えて、歯止め布部から構成されてなり、急病人を運ぶ担架として使用するときに用いるため、夏季に風を通すために用いるため、歯止め布部に、運搬用把持穴を設け、急病人を運ぶ担架として使用しない場合、冬季のように運搬用把持穴から風を通す必要が無い場合には、運搬用把持穴を覆う運搬用把持穴カバーを運搬用把持穴の下側のテーブルカバー布部に設けてなることという特徴的な構成要件により、本考案が解決しようとする第１課題〜第５課題を達成することができ、当業者予測不可能な顕著な効果を奏することができた。
５５５５５テーブルカバー＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のテーブルカバーにおいて、上記右側面布部、及び／又は、上記左側面布部、幟を立て固定するための固定用ポケットを有することを特徴とする請求項１〜４の何れかに記載されたテーブルカバー
第５の考案によれば、上記歯止め布部に、幟を立て固定するための固定用ポケットを有することという特徴的な構成要件により、本考案が解決しようとする第１課題〜第５課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のテーブルカバーにおいて、上記歯止め布部に、幟を立て固定するための固定用ポケットを有することを特徴とする請求項１〜５の何れかに記載されたテーブルカバーが開示されている。
第６の考案によれば上記正面布部、右側面布部、左側面布部面の下端周辺部に、テーブルカバーの固定用の紐を通すために用いられる紐穴を有することという特徴的な構成要件により、本考案が解決しようとする第１課題〜第５課題を達成することができ、当業者予測不可能な顕著な効果を奏することができた。
【図面の簡単な説明】
【０００９】
【図１】図１は、本考案に係る、テーブルカバーの正面左上からの斜視図である。
【図２】図２は、本考案に係る、テーブルカバーの正面左上からの斜視図である。
【図３】図３は、本考案に係る、テーブルカバーの正面左上からの斜視図である。
【図４】図４は、本考案に係る、テーブルカバーの作成方法を示す図面である。
【図５】図５（ａ）は、本考案に係る、テーブルカバーの正面左上からの斜視図である。図５（ｂ）は、本考案に係る、テーブルカバー（図５（ａ）のテーブルカバーを１８０°ひっくり返したもの）の正面左上からの斜視図である。
【図６】図６は、テーブルカバーの折り畳み方法を示す図面である。
【図７】図７は、テーブルカバーの折り畳み方法を示す図面である。
【図８】図８（ａ）は、テーブルカバーの折り畳み方法を示す図面である。図８（ｂ）は、折り畳んだ状態になった後、さらに巻物状態にしたテーブルカバーを示す図面である。
【図９】図９は、本考案に係る、歯留め布部を付けたテーブルカバーの作成方法を示す図面である。
【図１０】図１０は、本考案に係る、歯留め布部を付けたテーブルカバーの背面左上からの斜視図である。
【図１１】図１１は、本考案に係る、テーブルカバーの正面左上からの拡大斜視図である。
【符号の説明】
【００１０】
ＲＴ……長方形状テーブル
１００……テーブルカバー
ＦＣ……正面布部
ＰＣ……平面布部
ＲＣ……右側面布部
ＬＣ……左側面布部
Ａ７……箱状形状
Ａ８……巻物状態
ｔｈ……運搬用把持穴
ｔｃ……運搬用把持穴カバー
ｆｐ……固定用ポケット
ｒｈ……紐孔
ｐｌ……幟用ポール
ｆｔ……長方形状テーブルの脚
ＨＴ……歯止め布部
ｒｔ……両面テープ
【図１】
0003199583.tif 000003
【図３】
0003199583.tif 000004
【図４】
0003199583.tif 000005
【図６】
0003199583.tif 000006
【図７】
0003199583.tif 000007
【図８】
0003199583.tif 000008
【図９】
0003199583.tif 000009
【図１０】
0003199583.tif 000010
【図１１】
0003199583.tif 000011
【図２】
0003199583.tif 000012
【図５】
0003199583.tif 000013
【手続補正書】
【提出日】平成27年6月24日(2015.6.24)
【手続補正１】
【補正対象書類名】実用新案登録請求の範囲
【補正対象項目名】請求項４
【補正方法】変更
【補正の内容】
【請求項４】
上記テーブルカバーが、正面布部、平面布部、右側面布部、左側面布部の４面のテーブルカバー布部に加えて、開口した背面部に設けられた歯止め布部（ＨＴ）から構成されてなり、急病人を運ぶ担架として使用するときに用いるため、又は、夏季に風を通すために用いるため、右側面布部及び左側面布部に運搬用把持穴（ｔｈ）を設け、急病人を運ぶ担架として使用しない場合、又は、冬季のように運搬用把持穴（ｔｈ）から風を通す必要が無い場合には、運搬用把持穴（ｔｈ）を覆う運搬用把持穴カバーを運搬用把持穴（ｔｈ）の下側のテーブルカバー布部に設けてなることを特徴とする請求項１〜３の何れかに記載されたテーブルカバー。  
【手続補正２】
【補正対象書類名】実用新案登録請求の範囲
【補正対象項目名】請求項５
【補正方法】変更
【補正の内容】
【請求項５】
上記歯止め布部（ＨＴ）に、幟を立て固定するための固定用ポケットを有することを特徴とする請求項４に記載されたテーブルカバー。